【手続補正書】
【提出日】平成18年3月24日(2006.3.24)
【手続補正１】
【補正対象書類名】明細書
【補正対象項目名】特許請求の範囲
【補正方法】変更
【補正の内容】
【特許請求の範囲】
【請求項１】
物体の像を形成する結像光学系であって、
最も物体側に配置されたレンズ群Ｇ１と、該レンズ群Ｇ１と前記像の間に配置されたレンズ群を少なくとも１つ備え、
前記レンズ群のうち少なくとも一つが光軸方向に移動し、
前記レンズ群Ｇ１は、物体側から順に少なくとも一つの負の屈折力を持つレンズと、形状可変ミラーとを有し、
前記形状可変ミラーの変形によってフォーカシングを行うことを特徴とする結像光学系。
【請求項２】
結像光学系を構成する少なくとも１つの光学面が軸上主光線に対して略垂直方向にシフト偏心しており、以下の条件を満足することを特徴とする請求項１に記載の結像光学系。
｜δ／ｆｗ｜  ＜  １．０
ここで、δは前記光学面のシフト偏心量、ｆｗは広角端における前記結像光学系の焦点距離である。
【請求項３】
結像光学系を構成する少なくとも１つの光学面が軸上主光線に対して略垂直方向の軸を中心としてティルト偏心しており、以下の条件を満足することを特徴とする請求項１に記載の結像光学系。
｜ε｜  ＜  ５．０（ｄｅｇ）
ここで、ε（ｄｅｇ）は前記光学面のティルト偏心量である。
【請求項４】
前記レンズ群Ｇ１と前記像の間に配置されたレンズ群として、正の屈折力を持つレンズ群Ｇ２と、負の屈折力を持つレンズ群Ｇ３と、正の屈折力を持つレンズ群Ｇ４とを備え、
前記光軸方向に移動するレンズ群は、前記レンズ群Ｇ２と前記レンズ群Ｇ４であり、
前記レンズ群Ｇ２と前記レンズ群Ｇ４は、それぞれ独立に移動することを特徴とする請求項１に記載の結像光学系。
【請求項５】
前記光軸方向に移動するレンズ群は、相対的に偏心している少なくとも２つのレンズを、該レンズ群中に有していることを特徴とする請求項１または４に記載の結像光学系。
【請求項６】
前記結像光学系は絞りを備え、該絞りが変倍時に移動しないことを特徴とする請求項１または４に記載の結像光学系。
【請求項７】
以下の条件を満足することを特徴とする請求項１または請求項４に記載の結像光学系。
｜ｆＧ３／ｆｗ｜  ＜  １５．０
ここで、ｆＧ３は前記レンズ群Ｇ３の焦点距離、ｆｗは広角端における前記結像光学系の焦点距離である。
【請求項８】
前記レンズ群Ｇ１は負の屈折力を有することを特徴とする請求項１または請求項４に記載の結像光学系。
【請求項９】
前記形状可変ミラーの代わりに可変焦点ミラーを有していることを特徴とする、請求項１または請求項４に記載の結像光学系。
【請求項１０】
物体側から順に、負の屈折力を持つレンズ群Ｇ１と、正の屈折力を持つレンズ群Ｇ２と、負の屈折力を持つレンズ群Ｇ３と、正の屈折力を持つレンズ群Ｇ４とを備え、
前記レンズ群Ｇ２と前記レンズ群Ｇ４が光軸方向に独立に移動し、
以下の条件のいずれか一方を満足することを特徴とする結像光学系。
０．１  ＜  ｆＧ２／ｆｗ
０．１  ＜  ｆＧ４／ｆｗ
ここで、ｆＧ２は前記レンズ群Ｇ２の焦点距離、ｆＧ４は前記レンズ群Ｇ４の焦点距離、ｆｗは広角端における前記結像光学系の焦点距離である。
【請求項１１】
前記レンズ群Ｇ１は、少なくとも一つの反射光学素子を有することを特徴とする請求項１０に記載の結像光学系。
【請求項１２】
前記反射光学素子の物体側と像側に隣接して配置されたレンズ群を備え、下記条件のいずれか一方を満足することを特徴とする。請求項１１に記載の結像光学系。
０．１  ＜  Ｄ１／ｆｗ  ＜  １０．０
０．１  ＜  Ｄ２／ｆｗ  ＜  １０．０
ここで、Ｄ１は前記物体側に隣接配置されたレンズ群と前記反射光学素子のとの間隔、Ｄ２は前記像側に隣接配置されたレンズ群と前記反射光学素子のとの間隔、ｆｗは広角端における前記結像光学系の焦点距離である。
【請求項１３】
変倍時に光軸方向に移動するレンズ群を一つ以上有する結像光学系であって、前記レンズ群は、相対的に偏心している少なくとも２つのレンズを、該レンズ群中に有していることを特徴とする結像光学系。
【請求項１４】
少なくとも一つの光学特性可変素子を有することを特徴とする請求項１３に記載の結像光学系。
【請求項１５】
前記光学特性可変素子が可変焦点ミラーであることを特徴とする請求項１４に記載の結像光学系。
【請求項１６】
前記可変ミラーが形状可変ミラーであることを特徴とする請求項１５に記載の結像光学系。
【請求項１７】
請求項１〜請求項１６に記載の結像光学系と、撮像素子を備えたことを特徴とする撮像装置。
【請求項１８】
前記撮像素子が軸上主光線に対して略垂直方向の軸を中心としてティルト偏心しており、
以下の条件を満足することを特徴とする請求項１７に記載の撮像装置。
｜ε’｜  ＜  ５．０（ｄｅｇ）
ここで、ε’（ｄｅｇ）は前記撮像素子のティルト偏心量である。
【手続補正２】
【補正対象書類名】明細書
【補正対象項目名】０００６
【補正方法】変更
【補正の内容】
【０００６】
【課題を解決するための手段】
上記目的を達成するために、本発明の結像光学系は、物体の像を形成する結像光学系であって、最も物体側に配置されたレンズ群Ｇ１と、該レンズ群Ｇ１と前記像の間に配置されたレンズ群を少なくとも１つ備え、前記レンズ群のうち少なくとも一つが光軸方向に移動し、前記レンズ群Ｇ１は、物体側から順に少なくとも一つの負の屈折力を持つレンズと、形状可変ミラーとを有し、前記形状可変ミラーの変形によってフォーカシングを行うことを特徴とする。
また、結像光学系を構成する少なくとも１つの光学面が軸上主光線に対して略垂直方向にシフト偏心しており、以下の条件を満足することを特徴とする。
｜δ／ｆｗ｜ ＜ １．０
ここで、δは前記光学面のシフト偏心量、ｆｗは広角端における前記結像光学系の焦点距離である。
また、結像光学系を構成する少なくとも１つの光学面が軸上主光線に対して略垂直方向の軸を中心としてティルト偏心しており、以下の条件を満足することを特徴とする。
｜ε｜ ＜ ５．０（ｄｅｇ）
ここで、ε（ｄｅｇ）は前記光学面のティルト偏心量である。
また、本発明の別の結像光学系は、物体側から順に、負の屈折力を持つレンズ群Ｇ１と、正の屈折力を持つレンズ群Ｇ２と、負の屈折力を持つレンズ群Ｇ３と、正の屈折力を持つレンズ群Ｇ４とを備え、前記レンズ群Ｇ２と前記レンズ群Ｇ４が光軸方向に独立に移動し、以下の条件のいずれか一方を満足することを特徴とする。
０．１ ＜ ｆＧ２／ｆｗ
０．１ ＜ ｆＧ４／ｆｗ
ここで、ｆＧ２は前記レンズ群Ｇ２の焦点距離、ｆＧ４は前記レンズ群Ｇ４の焦点距離、ｆｗは広角端における前記結像光学系の焦点距離である。
また、本発明の更に別の結像光学系は、変倍時に光軸方向に移動するレンズ群を一つ以上有する結像光学系であって、前記レンズ群は、相対的に偏心している少なくとも２つのレンズを、該レンズ群中に有していることを特徴とする。
また、本発明の撮像装置は、上記の結像光学系と、撮像素子を備えたことを特徴とする。
【手続補正３】
【補正対象書類名】明細書
【補正対象項目名】０１２８
【補正方法】変更
【補正の内容】
【０１２８】
なお、以上の説明では、液晶の劣化を防止するため、電源として交流電源５１６を用いて、液晶層に交流電圧を印加するようにしたが、直流電源を用いて液晶層に直流電圧を印加するようにすることもできる。また、液晶分子の方向を変える方法としては、電圧を変化させること以外に、液晶層にかける電場の周波数、液晶層にかける磁場の強さ・周波数、あるいは液晶層の温度等を変化させることによってもよい。なお、図２４のような形状の変化しない可変焦点ミラーも、形状可変鏡の中に含めるものとする。